(57)【要約】【課題】照明器具などに用いられるＬＥＤ点灯回路において、多数のＬＥＤからの光出力を均一化するとともに、その均一化のための消費電力を抑える。【解決手段】ＤＤコン３５からＬＥＤモジュール３２への電流を電流検知抵抗Ｒ２によって検知し、比較回路３７で基準電圧源３８からの基準電圧Ｖｒｅｆと比較し、その比較結果に応答して制御回路３６がＤＤコン３５を制御することでＬＥＤモジュール３２へ流れる電流を一括して定電流制御し、さらにＬＥＤモジュール３２を構成する各ＬＥＤ負荷回路Ｕ１〜Ｕ３にはカレントミラー回路を構成する制御素子Ｑ１〜Ｑ３を直列に設けて光出力を均一化するとともに、その基準電流をＬＥＤ負荷回路Ｕ１で作成して低消費電力とする。また、断線検知回路４２がＬＥＤ負荷回路Ｕ１の断線を検知すると、インピーダンス回路４２を挿入し、基準電流の消滅による他のＬＥＤ負荷回路Ｕ２，Ｕ３の消灯を防ぐ。【選択図】図１
2008130296.tif 000002
【特許請求の範囲】
【請求項１】
１または直列複数段のＬＥＤから成るＬＥＤ負荷回路が相互に並列に複数配置されて成るＬＥＤモジュールに対して、直流電源から通電を行うようにしたＬＥＤ点灯回路において、
前記各ＬＥＤ負荷回路に直列に設けられ、カレントミラー回路を構成して前記各ＬＥＤ負荷回路における通電電流値を連動させる制御素子であって、各ＬＥＤ負荷回路におけるＬＥＤのＯＮ電圧の総和を含めて、ＬＥＤ電流による電圧降下が最も高いＬＥＤ負荷回路が前記カレントミラーの基準電流回路となるように、対応するものがダイオード構造とされるそのような制御素子と、
前記カレントミラーの基準電流回路となるＬＥＤ負荷回路と並列に設けられ、該ＬＥＤ負荷回路内のＬＥＤの断線時における通電電流値を基準電流となるように維持するインピーダンス回路とを含むことを特徴とするＬＥＤ点灯回路。
【請求項２】
前記インピーダンス回路は、スイッチ素子が直列に接続されて前記カレントミラーの基準電流回路となるＬＥＤ負荷回路に対して並列に設けられ、
前記カレントミラーの基準電流回路となるＬＥＤ負荷回路に関連して、前記ＬＥＤの断線を検知し、前記スイッチ素子をＯＮさせる断線検知手段をさらに備えることを特徴とする請求項１記載のＬＥＤ点灯回路。
【請求項３】
前記断線検知手段は、ツェナダイオードと、前記ＬＥＤの断線によるＬＥＤ負荷回路の端子間電圧の上昇が前記ツェナダイオードのツェナ電圧以上となると、前記スイッチ素子をＯＮさせる制御手段とを備えて成ることを特徴とする請求項２記載のＬＥＤ点灯回路。
【請求項４】
前記断線検知手段は、前記カレントミラーの基準電流回路となるＬＥＤ負荷回路に直列に設けられる電流検知手段と、前記電流検知手段で前記ＬＥＤの断線による電流遮断が検出されると、前記スイッチ素子をＯＮさせる制御手段とを備えて成ることを特徴とする請求項２記載のＬＥＤ点灯回路。
【請求項５】
前記インピーダンス回路は、スイッチ素子が直列に接続されて前記カレントミラーの基準電流回路となるＬＥＤ負荷回路に対して並列に設けられ、
前記直流電源の出力電圧の上昇または出力電流の減少から前記ＬＥＤの断線を検知する断線検知手段と、前記断線検知手段で一旦断線が検知されると、前記スイッチ素子をＯＮさせ続けるラッチ手段とをさらに備えることを特徴とする請求項１記載のＬＥＤ点灯回路。
【請求項６】
１または直列複数段のＬＥＤから成るＬＥＤ負荷回路が相互に並列に複数配置されて成るＬＥＤモジュールに対して、直流電源から通電を行うようにしたＬＥＤ点灯回路において、
前記各ＬＥＤ負荷回路に直列に設けられ、カレントミラー回路を構成して前記各ＬＥＤ負荷回路における通電電流値を連動させる制御素子であって、各ＬＥＤ負荷回路におけるＬＥＤのＯＮ電圧の総和を含めて、ＬＥＤ電流による電圧降下が最も高いＬＥＤ負荷回路が前記カレントミラーの基準電流回路となるように、対応するものがダイオード構造とされるそのような制御素子と、
前記カレントミラーの基準電流回路となるＬＥＤ負荷回路に関連して設けられ、該ＬＥＤ負荷回路内のＬＥＤの断線を検知する断線検知手段と、
前記カレントミラーの基準電流回路となるＬＥＤ負荷回路以外のＬＥＤ負荷回路に対応する制御素子に関連して設けられ、前記断線検知手段によって断線が検知されると、それらの制御素子の内の１つをダイオード接続に切換えることができる短絡手段とを含むことを特徴とするＬＥＤ点灯回路。
【請求項７】
前記直流電源は、ＤＣ−ＤＣコンバータであり、
前記各ＬＥＤ負荷回路を流れる総電流値または前記ダイオード接続された制御素子に対応するＬＥＤ負荷回路を流れる電流値を検出する電流検出手段と、
前記電流検出手段からの検出結果を比較するための基準電圧源および比較器と、
前記比較器からの出力に応じて、前記ＬＥＤモジュールへの通電電流値の総和が予め定める値となるように前記直流電源をフィードバック制御する制御手段とを備えて構成されることを特徴とする請求項１〜６のいずれか１項に記載のＬＥＤ点灯回路。
【請求項８】
前記請求項１〜７のいずれか１項に記載のＬＥＤ点灯回路を用いることを特徴とする照明器具。
【発明の詳細な説明】
【技術分野】
【０００１】
本発明は、ＬＥＤの点灯回路およびそれを用いる照明器具に関し、特に複数並列に設けられるＬＥＤの電流を均等にするための手法に関する。
【背景技術】
【０００２】
前記ＬＥＤ（発光ダイオード）を前記照明器具に用いる場合のように、必要な光出力を得るために多数のＬＥＤを用いる場合、また少電流のＬＥＤは効率が高く同じ光出力を得るにもチップを細分化する場合、それらを相互に直列に接続して点灯させるには、過大な電源電圧が必要になる。一方、前記多数のＬＥＤを相互に並列に接続して点灯させると、過大な電流が必要になる。したがって、現実的には用途に応じた適当な直並列構成が採用される。しかしながら、青色ＬＥＤの場合、そのＯＮ電圧Ｖｆは３〜３．５Ｖ程度で、ばらつきが大きく、前記直並列に組合わせると、相互に並列な各直列回路間の分流比に差が生じ易く、すなわち各直列回路間の明るさに差が生じ易いという問題がある。
【０００３】
詳しくは、ＬＥＤの光出力は通電電流値に依存するとされ、この観点からすれば、直列構成の場合は、個々のＬＥＤのＯＮ電圧Ｖｆにばらつきがあったとしても、通電電流値は同じであるので、個々のＬＥＤの光出力ばらつきも小さい。これに対して、並列構成の場合は、直列構成のＬＥＤのオン電圧Ｖｆの和が異なれば、点灯回路（電源回路）の一括出力から各直列回路に流れる電流値は前記ＯＮ電圧Ｖｆの低い回路に集中することになり、直列回路毎に光出力ばらつきは大きくなる。
【０００４】
図９は、典型的な従来技術のＬＥＤ点灯回路１の構成を示すブロック図である。この従来技術は、特許文献１に示されたものである。このＬＥＤ点灯回路１では、ＬＥＤ負荷を多数直列に接続したＬＥＤ負荷回路ｕ１〜ｕ３を３回路並列に接続してＬＥＤモジュール２が構成されている。そのＬＥＤモジュール２には、商用電源３からの電圧Ｖａｃを、ノイズカット用のコンデンサｃ１から整流ブリッジ４にて直流化し、ＤＣ−ＤＣコンバータ５を介して電圧変換した直流電圧ＶＤＣが与えられる。
【０００５】
ＤＣ−ＤＣコンバータ５は、前記整流ブリッジ４の直流出力電圧をスイッチングするスイッチング素子ｑ０と、前記のスイッチングによる励磁エネルギーを蓄積／放出するチョークコイルｌと、前記チョークコイルｌからの出力電流を整流・平滑化するダイオードｄおよび平滑コンデンサｃ２と、前記スイッチング素子ｑ０を流れる電流を電圧に変換して検知するための抵抗ｒ１と、前記スイッチング素子ｑ０のスイッチングを制御する制御回路６とを備えて構成される昇圧チョッパー回路から成る。
【０００６】
一方、各ＬＥＤ負荷回路ｕ１〜ｕ３には、それらを流れる通電電流値を相互に等しくするための定電流回路ｑ１〜ｑ３が各々直列に挿入されている。そして、前記定電流回路ｑ１〜ｑ３の印加電圧（負担電圧）は、比較回路７において、基準電圧源８からの基準電圧Ｖｒｅｆと比較され、比較結果が前記制御回路６に与えられており、制御回路６は、前記各定電流回路ｑ１〜ｑ３の印加電圧が直列ＬＥＤのＯＮ電圧Ｖｆの総和よりも小さくなるように上記ＤＣ−ＤＣコンバータ５の定電圧出力を制御する。これによって、各定電流回路ｑ１〜ｑ３での損失抑制が図られている。しかしながら、この従来技術では、前記ＬＥＤのＯＮ電圧Ｖｆのばらつきが大きい程、全体の光出力レベルが変動し、定電流回路ｑ１〜ｑ３での損失も大きいなどの課題を有する。
【０００７】
図１０は、他の従来技術のＬＥＤ点灯回路１１の構成を示すブロック図である。この従来技術は、特許文献２に示されたものである。このＬＥＤ点灯回路１１では、各ＬＥＤ負荷回路ｕ１〜ｕ３への総通電電流値を抵抗ｒ２で電圧変換して検出し、比較器１７において、その電圧を基準電圧Ｖｒｅｆと比較した結果が一定値になるように、ＰＷＭ制御回路１６を介してＤＣ−ＤＣコンバータ１５を制御するように構成されている。ＤＣ−ＤＣコンバータ１５は、直流電源１３からの電圧Ｖｄｃをスイッチング素子ｑ０によってスイッチングしてトランスｔの１次側に与え、２次側出力を整流平滑回路１４にて整流・平滑化した直流電圧ＶＤＣを前記各ＬＥＤ負荷回路ｕ１〜ｕ３へ与えることで、電源側と負荷側とを絶縁する１石フライバックコンバータで構成されている。そして、このＬＥＤ点灯回路１１でも、各ＬＥＤ負荷回路ｕ１〜ｕ３に定電流回路ｄ１〜ｄ３がそれぞれ直列に設けられている。
【０００８】
図１１は、前記定電流回路ｄ１〜ｄ３の具体例を示す電気回路図である。この定電流回路ｄ１〜ｄ３は、前記ＬＥＤ負荷回路ｕ１〜ｕ３に直列に接続されるトランジスタｑ１１および抵抗ｒ１１と、前記トランジスタｑ１１のコレクタ−ベース間を接続する抵抗ｒ１２と、前記トランジスタｑ１１のベース−エミッタ間に介在されるツェナダイオードｄｚとを備えて構成される。そして、抵抗ｒ１１の電圧降下とトランジスタｑ１１のベース−エミッタ間電圧Ｖｂｅとの和がツェナダイオードｄｚのツェナ電圧と略一致する条件で、トランジスタｑ１１のコレクタ電流が定電流化される。
【０００９】
これによって、各ＬＥＤ負荷回路ｕ１〜ｕ３の電流は個々に定電流化され、しかもＤＣ−ＤＣコンバータ１５の一括出力電流も上述のように定電流制御されるので、ＬＥＤのＯＮ電圧Ｖｆのばらつきによる光出力のばらつきはかなり抑制できる。しかしながら、ＦＥＴのソースホロワ回路から成る簡単な前記定電流回路ｑ１〜ｑ３に比べて、この定電流回路ｄ１〜ｄ３は、損失が大きいという問題がある。
【００１０】
そこで、本件発明者は、図１２で示すようなＬＥＤ点灯回路２１を、特許文献３で提案した。その従来技術によれば、各ＬＥＤ負荷回路ｕ１，ｕ２と直列にトランジスタｑ２１，ｑ２２および抵抗ｒ２１，ｒ２２をそれぞれ接続するとともに、前記トランジスタｑ２１，ｑ２２とカレントミラー回路を構成するトランジスタｑ２０を抵抗ｒ２３，ｒ２４，ｒ２０によって直流電源２３の端子間に接続している。そして、直流電源２３からの電圧ＶＤＣおよび抵抗ｒ２３，ｒ２４，ｒ２０などによって定まる基準電流がトランジスタｑ２０に流れ、その基準電流にトランジスタｑ２１，ｑ２２を流れる電流をバランスさせることで、光出力のばらつきを抑制するようになっている。なお、何れかの抵抗（この例ではｒ２４）と並列に設けたバイパススイッチｓｗによって該抵抗ｒ２４を短絡することで、前記基準電流を増加させ、光出力を増加させられるようにもなっている。
【特許文献１】特開２００２−８４０９号公報
【特許文献２】特開２００４−３１９５８３号公報
【特許文献３】特開２００４−３９２９０号公報
【発明の開示】
【発明が解決しようとする課題】
【００１１】
上述のようなミラー回路による方法は、各ＬＥＤ負荷回路ｕ１，ｕ２間の電流のバランスを取るのに都合が良いものの、電源電圧ＶＤＣの変動によって基準電流が変動し、また前記基準電流を作成する抵抗ｒ２３，ｒ２４，ｒ２０およびトランジスタｑ２０での損失が発生するという問題もある。
【００１２】
本発明の目的は、多数のＬＥＤの光出力を、低損失で均一化することができるＬＥＤ点灯回路およびそれを用いる照明器具を提供することである。
【課題を解決するための手段】
【００１３】
本発明のＬＥＤ点灯回路は、１または直列複数段のＬＥＤから成るＬＥＤ負荷回路が相互に並列に複数配置されて成るＬＥＤモジュールに対して、直流電源から通電を行うようにしたＬＥＤ点灯回路において、前記各ＬＥＤ負荷回路に直列に設けられ、カレントミラー回路を構成して前記各ＬＥＤ負荷回路における通電電流値を連動させる制御素子であって、各ＬＥＤ負荷回路におけるＬＥＤのＯＮ電圧の総和を含めて、ＬＥＤ電流による電圧降下が最も高いＬＥＤ負荷回路が前記カレントミラーの基準電流回路となるように、対応するものがダイオード構造とされるそのような制御素子と、前記カレントミラーの基準電流回路となるＬＥＤ負荷回路と並列に設けられ、該ＬＥＤ負荷回路内のＬＥＤの断線時における通電電流値を基準電流となるように維持するインピーダンス回路とを含むことを特徴とする。
【００１４】
上記の構成によれば、照明器具などに用いられるＬＥＤ点灯回路において、１または直列複数段のＬＥＤから成るＬＥＤ負荷回路が相互に並列に複数配置されて成るＬＥＤモジュールに対して、直流電源から通電を行うにあたって、前記各ＬＥＤ負荷回路に直列に、カレントミラー回路を構成する制御素子を設け、それらの制御素子において、前記各ＬＥＤ負荷回路におけるＬＥＤのＯＮ電圧Ｖｆの総和を含めて、ＬＥＤ電流による電圧降下が最も高い回路を基準として、そのＬＥＤ負荷回路に対応した制御素子をダイオード構造とし、制御端子を介して残余の回路の制御素子の通電電流値を連動させることで、各ＬＥＤ負荷回路間のバランスを取るようにする。具体的には、前記制御素子がトランジスタである場合には、制御端子であるベースと、コレクタとを短絡するとともに、ベースを共通に接続する。また、前記制御素子がＭＯＳ型トランジスタである場合には、制御端子であるゲートと、ドレインとを短絡するとともに、ゲートを共通に接続する。さらに、その基準電流回路となったＬＥＤ負荷回路と並列にインピーダンス回路を設け、該インピーダンス回路は、対応するＬＥＤ負荷回路内のＬＥＤが断線した場合に、ＬＥＤ負荷回路を流れるべき電流をバイパスして、前記カレントミラー回路の基準電流を維持する。
【００１５】
したがって、各ＬＥＤ負荷回路間の電流バランスはカレントミラー回路によって均等に制御されるので、多数のＬＥＤからの光出力を、均一化することができる。また、前記カレントミラー回路の基準電流を作成する回路には、ＯＮ電圧Ｖｆの総和が最も高いＬＥＤ負荷回路を用いているので、基準電流のみを作成する回路が不要で、その分の回路損失を無くすことができる。さらにまた、その基準電流回路となるＬＥＤ負荷回路のＬＥＤに断線が生じても、基準電流は流れ続けることになり、消灯が他のＬＥＤ負荷回路に及ばないようにすることができる。
【００１６】
また、本発明のＬＥＤ点灯回路では、前記インピーダンス回路は、スイッチ素子が直列に接続されて前記カレントミラーの基準電流回路となるＬＥＤ負荷回路に対して並列に設けられ、前記カレントミラーの基準電流回路となるＬＥＤ負荷回路に関連して、前記ＬＥＤの断線を検知し、前記スイッチ素子をＯＮさせる断線検知手段をさらに備えることを特徴とする。
【００１７】
上記の構成によれば、断線検知手段を設けるとともに、前記インピーダンス回路には直列にスイッチ素子を設けておき、断線が検知された場合に前記スイッチ素子をＯＮさせてインピーダンス回路を挿入する。
【００１８】
前記断線検知手段は、たとえば、ツェナダイオードと、前記ＬＥＤの断線によるＬＥＤ負荷回路の端子間電圧の上昇が前記ツェナダイオードのツェナ電圧以上となると、前記スイッチ素子をＯＮさせる制御手段とで構成することができ、或いは前記カレントミラーの基準電流回路となるＬＥＤ負荷回路に直列に設けられる電流検知抵抗や発光ダイオードなどの電流検知手段と、前記電流検知手段で前記ＬＥＤの断線による電流遮断が検出されると、前記スイッチ素子をＯＮさせる制御トランジスタやフォトトランジスタなどの制御手段とで構成することができる。
【００１９】
したがって、インピーダンス回路による常時損失を抑え、低消費電力で、断線に備えることができる。
【００２０】
さらにまた、本発明のＬＥＤ点灯回路では、前記インピーダンス回路は、スイッチ素子が直列に接続されて前記カレントミラーの基準電流回路となるＬＥＤ負荷回路に対して並列に設けられ、前記直流電源の出力電圧の上昇または出力電流の減少から前記ＬＥＤの断線を検知する断線検知手段と、前記断線検知手段で一旦断線が検知されると、前記スイッチ素子をＯＮさせ続けるラッチ手段とをさらに備えることを特徴とする。
【００２１】
上記の構成によれば、断線検知手段およびラッチ手段を設けるとともに、前記インピーダンス回路には直列にスイッチ素子を設けておき、直流電源の出力電圧の上昇または出力電流の減少から、一旦断線が検知されると、前記スイッチ素子をＯＮさせてインピーダンス回路を挿入する。
【００２２】
したがって、インピーダンス回路による常時損失を抑え、低消費電力で、断線に備えることができる。
【００２３】
また、本発明のＬＥＤ点灯回路は、１または直列複数段のＬＥＤから成るＬＥＤ負荷回路が相互に並列に複数配置されて成るＬＥＤモジュールに対して、直流電源から通電を行うようにしたＬＥＤ点灯回路において、前記各ＬＥＤ負荷回路に直列に設けられ、カレントミラー回路を構成して前記各ＬＥＤ負荷回路における通電電流値を連動させる制御素子であって、各ＬＥＤ負荷回路におけるＬＥＤのＯＮ電圧の総和を含めて、ＬＥＤ電流による電圧降下が最も高いＬＥＤ負荷回路が前記カレントミラーの基準電流回路となるように、対応するものがダイオード構造とされるそのような制御素子と、前記カレントミラーの基準電流回路となるＬＥＤ負荷回路に関連して設けられ、該ＬＥＤ負荷回路内のＬＥＤの断線を検知する断線検知手段と、前記カレントミラーの基準電流回路となるＬＥＤ負荷回路以外のＬＥＤ負荷回路に対応する制御素子に関連して設けられ、前記断線検知手段によって断線が検知されると、それらの制御素子の内の１つをダイオード接続に切換えることができる短絡手段とを含むことを特徴とする。
【００２４】
上記の構成によれば、照明器具などに用いられるＬＥＤ点灯回路において、１または直列複数段のＬＥＤから成るＬＥＤ負荷回路が相互に並列に複数配置されて成るＬＥＤモジュールに対して、直流電源から通電を行うにあたって、前記各ＬＥＤ負荷回路に直列に、カレントミラー回路を構成する制御素子を設け、それらの制御素子において、前記各ＬＥＤ負荷回路におけるＬＥＤのＯＮ電圧Ｖｆの総和を含めて、ＬＥＤ電流による電圧降下が最も高い回路を基準として、その回路における前記制御素子をダイオード構造とし、制御端子を介して残余の回路の制御素子の通電電流値を連動させることで、各ＬＥＤ負荷回路間のバランスを取るようにする。具体的には、前記制御素子がトランジスタである場合には、制御端子であるベースと、コレクタとを短絡するとともに、ベースを共通に接続する。また、前記制御素子がＭＯＳ型トランジスタである場合には、制御端子であるゲートと、ドレインとを短絡するとともに、ゲートを共通に接続する。さらに、その基準電流回路となったＬＥＤ負荷回路に関連して、そのＬＥＤ負荷回路内のＬＥＤの断線を検知する断線検知手段を設けるとともに、前記カレントミラーの基準電流回路となるＬＥＤ負荷回路以外のＬＥＤ負荷回路に対応する制御素子に関連して、前記ベース−コレクタ間やゲート−ドレイン間を短絡することができる短絡手段を設け、前記断線検知手段によって断線が検知されると、前記短絡手段が制御素子の内の１つをダイオード接続に切換える。
【００２５】
したがって、各ＬＥＤ負荷回路間の電流バランスはカレントミラー回路によって均等に制御されるので、多数のＬＥＤからの光出力を、均一化することができる。また、前記カレントミラー回路の基準電流を作成する回路には、ＯＮ電圧Ｖｆの総和が最も高いＬＥＤ負荷回路を用いているので、基準電流のみを作成する回路が不要で、その分の回路損失を無くすことができる。さらにまた、その基準電流回路となるＬＥＤ負荷回路のＬＥＤに断線が生じると、他のＬＥＤ負荷回路に対応した制御素子の内の１つがダイオード接続されて、引続き定電流動作を行うので、消灯がその他のＬＥＤ負荷回路に及ばないようにすることができる。
【００２６】
さらにまた、本発明のＬＥＤ点灯回路では、前記直流電源は、ＤＣ−ＤＣコンバータであり、前記各ＬＥＤ負荷回路を流れる総電流値または前記ダイオード接続された制御素子に対応するＬＥＤ負荷回路を流れる電流値を検出する電流検出手段と、前記電流検出手段からの検出結果を比較するための基準電圧源および比較器と、前記比較器からの出力に応じて、前記ＬＥＤモジュールへの通電電流値の総和が予め定める値となるように前記直流電源をフィードバック制御する制御手段とを備えて構成されることを特徴とする。
【００２７】
上記の構成によれば、直流電源から前記各ＬＥＤ負荷回路への通電電流値を検出し、その検出結果に基づいて、前記通電電流値の総和が予め定める値となるように、フィードバックによって前記直流電源を定電流制御するので、定電圧制御に比べて、制御素子での損失が小さく、低損失化することができる。
【００２８】
また、本発明の照明器具は、前記のＬＥＤ点灯回路を用いることを特徴とする。
【００２９】
上記の構成によれば、多数のＬＥＤからの光出力を均一化することができるとともに、低損失な照明器具を実現することができる。
【発明の効果】
【００３０】
本発明のＬＥＤ点灯回路は、以上のように、照明器具などに用いられるＬＥＤ点灯回路において、１または直列複数段のＬＥＤから成るＬＥＤ負荷回路が相互に並列に複数配置されて成るＬＥＤモジュールに対して、直流電源から通電を行うにあたって、前記各ＬＥＤ負荷回路に直列に、カレントミラー回路を構成する制御素子を設け、それらの制御素子において、前記各ＬＥＤ負荷回路におけるＬＥＤのＯＮ電圧Ｖｆの総和を含めて、ＬＥＤ電流による電圧降下が最も高いＬＥＤ負荷回路を基準として、そのＬＥＤ負荷回路に対応した前記制御素子をダイオード構造とし、制御端子を介して残余の回路の制御素子の通電電流値を連動させることで、各ＬＥＤ負荷回路間のバランスを取るようにするとともに、その基準電流回路となったＬＥＤ負荷回路と並列にインピーダンス回路を設け、該インピーダンス回路は、対応するＬＥＤ負荷回路内のＬＥＤが断線した場合に、ＬＥＤ負荷回路を流れるべき電流をバイパスして、前記カレントミラー回路の基準電流を維持する。
【００３１】
それゆえ、各ＬＥＤ負荷回路間の電流バランスはカレントミラー回路によって均等に制御されるので、多数のＬＥＤからの光出力を、均一化することができる。また、前記カレントミラー回路の基準電流を作成する回路には、ＯＮ電圧Ｖｆの総和が最も高いＬＥＤ負荷回路を用いているので、基準電流のみを作成する回路が不要で、その分の回路損失を無くすことができる。さらにまた、その基準電流回路となるＬＥＤ負荷回路のＬＥＤに断線が生じても、基準電流は流れ続けることになり、消灯が他のＬＥＤ負荷回路に及ばないようにすることができる。
【００３２】
また、本発明のＬＥＤ点灯回路は、以上のように、断線検知手段を設けるとともに、前記インピーダンス回路には直列にスイッチ素子を設けておき、断線が検知された場合に前記スイッチ素子をＯＮさせてインピーダンス回路を挿入する。
【００３３】
それゆえ、インピーダンス回路による常時損失を抑え、低消費電力で、断線に備えることができる。
【００３４】
さらにまた、本発明のＬＥＤ点灯回路は、以上のように、断線検知手段およびラッチ手段を設けるとともに、前記インピーダンス回路には直列にスイッチ素子を設けておき、直流電源の出力電圧の上昇または出力電流の減少から、一旦断線が検知されると、前記スイッチ素子をＯＮさせてインピーダンス回路を挿入する。
【００３５】
それゆえ、インピーダンス回路による常時損失を抑え、低消費電力で、断線に備えることができる。
【００３６】
また、本発明のＬＥＤ点灯回路は、以上のように、照明器具などに用いられるＬＥＤ点灯回路において、１または直列複数段のＬＥＤから成るＬＥＤ負荷回路が相互に並列に複数配置されて成るＬＥＤモジュールに対して、直流電源から通電を行うにあたって、前記各ＬＥＤ負荷回路に直列に、カレントミラー回路を構成する制御素子を設け、それらの制御素子において、前記各ＬＥＤ負荷回路におけるＬＥＤのＯＮ電圧Ｖｆの総和を含めて、ＬＥＤ電流による電圧降下が最も高い回路を基準として、その回路における前記制御素子をダイオード構造とし、制御端子を介して残余の回路の制御素子の通電電流値を連動させることで、各ＬＥＤ負荷回路間のバランスを取るようにするとともに、その基準電流回路となったＬＥＤ負荷回路に関連して、そのＬＥＤ負荷回路内のＬＥＤの断線を検知する断線検知手段を設け、また前記カレントミラーの基準電流回路となるＬＥＤ負荷回路以外のＬＥＤ負荷回路に対応する制御素子に関連して、前記ベース−コレクタ間やゲート−ドレイン間を短絡することができる短絡手段を設け、前記断線検知手段によって断線が検知されると、前記短絡手段が制御素子の内の１つをダイオード接続に切換える。
【００３７】
それゆえ、各ＬＥＤ負荷回路間の電流バランスはカレントミラー回路によって均等に制御されるので、多数のＬＥＤからの光出力を、均一化することができる。また、前記カレントミラー回路の基準電流を作成する回路には、ＯＮ電圧Ｖｆの総和が最も高いＬＥＤ負荷回路を用いているので、基準電流のみを作成する回路が不要で、その分の回路損失を無くすことができる。さらにまた、その基準電流回路となるＬＥＤ負荷回路のＬＥＤに断線が生じると、他のＬＥＤ負荷回路に対応した制御素子の内の１つがダイオード接続されて、引続き定電流動作を行うので、消灯がその他のＬＥＤ負荷回路に及ばないようにすることができる。
【００３８】
さらにまた、本発明のＬＥＤ点灯回路は、以上のように、直流電源から前記各ＬＥＤ負荷回路への通電電流値を検出し、その検出結果に基づいて、前記通電電流値の総和が予め定める値となるように、フィードバックによって前記直流電源を定電流制御する。
【００３９】
それゆえ、定電圧制御に比べて、制御素子での損失が小さく、低損失化することができる。
【００４０】
また、本発明の照明器具は、以上のように、前記のＬＥＤ点灯回路を用いる。
【００４１】
それゆえ、多数のＬＥＤからの光出力を均一化することができるとともに、低損失な照明器具を実現することができる。
【発明を実施するための最良の形態】
【００４２】
［実施の形態１］
図１は、本発明の実施の一形態に係るＬＥＤ点灯回路３１の構成を示すブロック図である。このＬＥＤ点灯回路３１では、ＬＥＤＤ１を多数直列に接続したＬＥＤ負荷回路Ｕ１〜Ｕ３を３回路並列に接続してＬＥＤモジュール３２が構成されている。各ＬＥＤ負荷回路Ｕ１〜Ｕ３における直列ＬＥＤ負荷の段数は任意であり、単一のＬＥＤから構成されていてもよい。
【００４３】
各ＬＥＤ負荷回路Ｕ１〜Ｕ３は、ＬＥＤＤ１が共通の放熱板に搭載されてボンディングされ、波長変換用の蛍光体や光拡散用のレンズ等も取付けられて構成されている。このＬＥＤモジュール３２およびＬＥＤ点灯回路３１は、照明器具として用いられ、前記ＬＥＤ負荷としては青または紫外光を放出し、そのＬＥＤ負荷からの光を前記蛍光体で波長変換して白色光として放射する。前記ＬＥＤ負荷回路Ｕ１〜Ｕ３の並列回路数も任意であり、たとえばＲＧＢの３原色で発光させた光を合成するなどの白色光を得るための手法も任意である。
【００４４】
前記ＬＥＤモジュール３２には、商用電源３３からの電圧Ｖａｃを、ノイズカット用のコンデンサＣ１から整流ブリッジ３４にて直流化し、ＤＣ−ＤＣコンバータ３５を介して電圧変換した直流電圧ＶＤＣが与えられる。ＤＣ−ＤＣコンバータ３５は、前記整流ブリッジ３４の直流出力電圧をスイッチングするスイッチング素子Ｑ０と、前記のスイッチングによる励磁エネルギーを蓄積／放出するチョークコイルＬと、前記チョークコイルＬからの出力電流を整流・平滑化するダイオードＤおよび平滑コンデンサＣ２と、前記スイッチング素子Ｑ０を流れる電流を電圧に変換して検知するための抵抗Ｒ１と、前記スイッチング素子Ｑ０のスイッチングを制御する制御回路３６とを備えて構成される昇圧チョッパー回路から成る。
【００４５】
そして直流電源であるそのＤＣ−ＤＣコンバータ３５からＬＥＤモジュール３２へ流れる電流は、電流検知抵抗Ｒ２によって電圧値に変換されて、比較回路３７において、基準電圧源３８からの基準電圧Ｖｒｅｆと比較され、その比較結果が前記制御回路３６にフィードバックされる。制御回路３６は、前記抵抗Ｒ１，Ｒ２の検知結果に応答して、前記スイッチング素子Ｑ０のスイッチング周波数やデューティを制御する。こうして、前記電圧ＶＤＣの定電圧制御およびＬＥＤモジュール３２へ流れる電流の定電流制御が行われるようになっている。
【００４６】
注目すべきは、本実施の形態では、各ＬＥＤ負荷回路Ｕ１〜Ｕ３には、それらを流れる通電電流値を相互に等しくするために、カレントミラー回路を構成する制御素子Ｑ１〜Ｑ３が直列に設けられており、それらの制御素子Ｑ１〜Ｑ３の内で、対応するＬＥＤ負荷回路Ｕ１〜Ｕ３におけるＬＥＤのＯＮ電圧Ｖｆの総和を含めて、ＬＥＤ電流による電圧降下が最も高い回路（図１の例ではＵ１）を基準として、その回路における前記制御素子（図１の例ではＱ１）をダイオード構造とし、制御端子を介して残余の回路（図１の例ではＵ２，Ｕ３）の制御素子（図１の例ではＱ２，Ｑ３）の通電電流値を連動させることで、各ＬＥＤ負荷回路Ｕ１〜Ｕ３間のバランスを取ることである。
【００４７】
具体的には、前記制御素子Ｑ１〜Ｑ３がこの図１のようにトランジスタである場合には、制御端子であるベースと、コレクタとを短絡するとともに、ベースを共通に接続する。また、前記制御素子がＭＯＳ型トランジスタである場合には、制御端子であるゲートと、ドレインとを短絡するとともに、ゲートを共通に接続する。
【００４８】
さらに注目すべきは、その基準電流回路となったＬＥＤ負荷回路（図１の例ではＵ１）と並列にインピーダンス回路４１を設け、該インピーダンス回路４１が、対応するＬＥＤ負荷回路Ｕ１内のＬＥＤＤ１０が断線した場合に、該ＬＥＤ負荷回路Ｕ１を流れるべき電流をバイパスして、前記カレントミラー回路の基準電流を維持することである。
【００４９】
具体的には、前記インピーダンス回路４１は、抵抗、定電流回路、ツェナダイオード、およびツェナダイオードと抵抗との直列回路等、定電流を発生することができる素子または回路から構成されており、スイッチ素子Ｑ４が直列に接続されて前記ＬＥＤ負荷回路Ｕ１に対して並列に設けられる。さらに、前記ＬＥＤ負荷回路Ｕ１に関連して、その回路内のＬＥＤＤ１０の断線を検知し、前記スイッチ素子Ｑ４をＯＮさせる断線検知回路４２が設けられている。
【００５０】
断線検知手段である前記断線検知回路４２は、前記ＬＥＤ負荷回路Ｕ１の端子電圧、すなわち制御素子Ｑ１のコレクタ電圧を検出するようになっており、前記ＬＥＤ負荷回路Ｕ１と並列に設けられるツェナダイオードＺＤおよび分圧抵抗Ｒ１１，Ｒ１２の直列回路に、抵抗Ｒ１２と並列に設けられるコンデンサＣ１１を備えて構成され、前記分圧抵抗Ｒ１１と分圧抵抗Ｒ１２およびコンデンサＣ１１との接続点がトランジスタから成る前記スイッチ素子Ｑ４のベースに接続されて構成されている。そして、ＬＥＤＤ１０の断線によってＬＥＤ負荷回路Ｕ１の端子電圧、すなわち制御素子Ｑ１のコレクタ電圧が、前記ＬＥＤのＯＮ電圧Ｖｆの総和よりも高い所定電圧まで上昇すると、ツェナダイオードＺＤがＯＮしてスイッチ素子Ｑ４もＯＮし、前記断線したＬＥＤ負荷回路Ｕ１に代えてインピーダンス回路４１に電流が流れる。したがって、前記分圧抵抗Ｒ１１，Ｒ１２およびコンデンサＣ１１は、前記ツェナダイオードＺＤでの検知結果に応答してスイッチ素子Ｑ４を制御する制御手段を構成する。
【００５１】
このように構成することで、前記抵抗Ｒ２の検知結果による一括定電流制御によってＤＣ−ＤＣコンバータ３５から各ＬＥＤ負荷回路Ｕ１〜Ｕ３への通電電流値の総和が一定となるように制御されるとともに、各ＬＥＤ負荷回路Ｕ１〜Ｕ３間の電流バランスはカレントミラー回路によって均等に制御されるので、多数のＬＥＤＤ１からの光出力を、均一化することができる。また、前記カレントミラー回路の基準電流を作成する回路（図１の例ではＱ１）には、ＬＥＤＤ１のＯＮ電圧Ｖｆの総和が最も高いＬＥＤ負荷回路（図１の例ではＵ１）を用いているので、基準電流のみを作成する回路が不要で、その分の回路損失を無くすことができる。さらにまた、トランジスタなどの制御素子Ｑ１〜Ｑ３の１つをダイオード構造とするとともに、ミラー回路に構成するだけであるので、安価な構成で実現することができる。
【００５２】
たとえば、ＬＥＤ負荷回路の数を前記Ｕ１〜Ｕ３の３つとし、その各ＬＥＤ負荷回路Ｕ１〜Ｕ３を５段のＬＥＤＤ１で構成し、前記ＯＮ電圧Ｖｆのばらつきを±５％とするとき、前記抵抗Ｒ２の検知結果による一括定電流制御のみの場合、すなわち制御素子Ｑ１〜Ｑ３が設けられていない場合には、各ＬＥＤ負荷回路Ｕ１〜Ｕ３間の電流ばらつきは、１７．５〜２２．７ｍＡ（前記一括定電流制御の電流値は６０ｍＡ）となるのに対して、前記制御素子Ｑ１〜Ｑ３を設け、前記のようにＯＮ電圧Ｖｆの総和が最も高いＬＥＤ負荷回路Ｕ１に対応した制御素子Ｑ１を基準として他の制御素子Ｑ２，Ｑ３にミラー動作を行わせることで、電流ばらつきは、２０．０〜２０．１ｍＡに抑えることができる。同様に、前記ＯＮ電圧Ｖｆのばらつきを±１０％とした場合には、一括定電流制御のみで１５．２〜２５．８ｍＡ、ミラー動作を行わせることで、２０．０〜２０．１ｍＡとすることができる。
【００５３】
このＬＥＤ点灯回路３１の直流電源は、前述の図１０で示すＬＥＤ点灯回路と同様に、チョークコイルＬを有するＤＣ−ＤＣコンバータ３５であるけれども、図１１で示すトランスｔを有する絶縁型のＤＣ−ＤＣコンバータであってもよく、特にＬＥＤモジュール３２に対する直流電源は任意である。しかしながら、前記制御素子Ｑ１〜Ｑ３を用いるカレントミラー動作による定電流制御を行うにあたって、直流電源には、定電圧制御と、定電流制御とでは、定電流制御を用いる方が好ましい。
【００５４】
図２には、ＤＣ−ＤＣコンバータ３５が、上述のような抵抗Ｒ２の検知結果による定電流制御のみを行った場合と、前記図１１で示すような電圧ＶＤＣの定電圧制御のみを行った場合とにおける前記制御素子Ｑ１〜Ｑ３による損失について、詳しく示す。また、図２には、前述の図１１および図１２で示す定電流回路ｄ１〜ｄ３を用いた場合において、定電流制御を行った場合と、定電圧制御を行った場合とにおける損失についても詳しく示す。試算の条件は、各ＬＥＤ負荷回路Ｕ１〜Ｕ３を流れる電流、すなわちＬＥＤＤ１の定格電流を２０ｍＡ、ＬＥＤＤ１のＯＮ電圧Ｖｆを３．２Ｖ、そのばらつきを±１０％、制御素子（トランジスタ）Ｑ１〜Ｑ３のｈｆｅを１００とする。
【００５５】
図２から明らかなように、本実施の形態のカレントミラー回路による電流バランス制御では、ＯＮ電圧Ｖｆのばらつきが無い方が損失が小さいものの、ＯＮ電圧Ｖｆのばらつきの有無に拘わらず、定電流制御の方が、定電圧制御に比べて、損失が小さいことが理解される。これに対して、前述の図１１および図１２で示す定電流回路ｄ１〜ｄ３を用いた電流バランス制御でも、ＯＮ電圧Ｖｆのばらつきの有無に拘わらず、定電流制御の方が、定電圧制御に比べて、損失が小さいけれど、定電流制御では、総電流量が制限されているので、ＯＮ電圧Ｖｆのばらつきが有っても無くても、損失が同じであることが理解される。したがって、本実施の形態のカレントミラー回路による電流バランス制御に対しては、定電流制御が好ましく、何れの条件でも、定電流回路ｄ１〜ｄ３を用いる場合に比べて、電流バランスを確保するにあたっての損失を大幅に削減できることが理解される。
【００５６】
上述の説明では、制御素子（トランジスタ）Ｑ１〜Ｑ３のエミッタ面積比、すなわち各ＬＥＤ負荷回路Ｕ１〜Ｕ３におけるＬＥＤＤ１の定格電流は、各相互に等しかったけれども、相互に異なるように構成されてもよく、その場合、制御素子Ｑ１〜Ｑ３は、その異なる設定電流比を維持するように制御を行う。また、本発明におけるＬＥＤＤ１には、有機ＥＬ（オーガニックＬＥＤ）も適用可能である。
【００５７】
また、本実施の形態のように構成することで、前記基準電流回路となるＬＥＤ負荷回路Ｕ１のＬＥＤＤ１０に断線が生じても、インピーダンス回路４１によって基準電流は流れ続けることになり、消灯が他のＬＥＤ負荷回路Ｕ２，Ｕ３に及ばないようにすることができる。さらにまた、前記インピーダンス回路４１は、スイッチ素子Ｑ４が直列に接続されて前記カレントミラーの基準電流回路となるＬＥＤ負荷回路Ｕ１に対して並列に設けられ、断線検知回路４２によって前記ＬＥＤＤ１０の断線を検知された場合に、前記スイッチ素子Ｑ４がＯＮされて挿入されるので、該インピーダンス回路４１による常時損失を抑え、低消費電力で、断線に備えることができる。
【００５８】
前記断線検知回路４２における断線検知の他の手段としては、前記ツェナダイオードＺＤに代えて、図３で示すＬＥＤ点灯回路３１ａのように、前記基準電流回路となるＬＥＤ負荷回路Ｕ１に対して直列に設けた電流電圧変換抵抗Ｒ１３や、図４で示すＬＥＤ点灯回路３１ｂのように、発光ダイオードＤ１１なども用いることができる。
【００５９】
詳しくは、図３の断線検知回路４２ａでは、電源ライン間に抵抗Ｒ１４と制御用のトランジスタＱ５とが直列に接続され、そのトランジスタＱ５のベースに前記電流電圧変換抵抗Ｒ１３によって得られた電圧が与えられ、コレクタからの出力が前記スイッチ素子Ｑ４のベースに与えられる。したがって、ＬＥＤ負荷回路Ｕ１に電流が流れている間はトランジスタＱ５がＯＮし、前記スイッチ素子Ｑ４がＯＦＦして、インピーダンス回路４１は切離されている。これに対して、断線によってＬＥＤ負荷回路Ｕ１に電流が流れなくなると、トランジスタＱ５がＯＦＦし、スイッチ素子Ｑ４がＯＮして、インピーダンス回路４１が挿入される。
【００６０】
同様に、図４の断線検知回路４２ｂでは、電源ライン間に前記抵抗Ｒ１４と制御用のフォトトランジスタＱ６とが直列に接続され、そのフォトトランジスタＱ６が前記発光ダイオードＤ１１とフォトカプラＰＣを構成し、コレクタからの出力が前記スイッチ素子Ｑ４のベースに与えられる。したがって、ＬＥＤ負荷回路Ｕ１に電流が流れている間はフォトトランジスタＱ６がＯＮし、前記スイッチ素子Ｑ４がＯＦＦして、インピーダンス回路４１は切離されている。これに対して、断線によってＬＥＤ負荷回路Ｕ１に電流が流れなくなると、フォトトランジスタＱ６がＯＦＦし、スイッチ素子Ｑ４がＯＮして、インピーダンス回路４１が挿入される。
【００６１】
［実施の形態２］
図５は、本発明の実施の他の形態に係るＬＥＤ点灯回路５１の構成を示すブロック図である。このＬＥＤ点灯回路５１において、前述のＬＥＤ点灯回路３１に類似し、対応する部分には同一の参照符号を付して示し、その説明を省略する。注目すべきは、このＬＥＤ点灯回路５１では、ＤＣ−ＤＣコンバータ３５に定電流のフィードバック制御を行うにあたって、その電流検知抵抗Ｒ２を、前記基準電流作成回路であるＬＥＤ負荷回路Ｕ１に挿入することである。この場合、前記抵抗Ｒ２による損失を削減することができる（図５の例では、図１の例に対して、略１／３）。また、基準となるＬＥＤ負荷回路以外でＬＥＤＤ１に断線が生じても、残余の回路は、一定の電流値のままで点灯を続けることができる。
【００６２】
［実施の形態３］
図６は、本発明の実施のさらに他の形態に係るＬＥＤ点灯回路６１の構成を示すブロック図である。このＬＥＤ点灯回路６１において、前述のＬＥＤ点灯回路３１に類似し、対応する部分には同一の参照符号を付して示し、その説明を省略する。注目すべきは、このＬＥＤ点灯回路６１では、前記基準電流作成回路であるＬＥＤ負荷回路Ｕ１以外のＬＥＤ負荷回路Ｕ２，Ｕ３に対応する制御素子Ｑ２，Ｑ３には、前記断線検知回路４２によって基準電流作成回路であるＬＥＤ負荷回路Ｕ１の断線が検知されると、スイッチ切換え制御回路６２が、対応する制御素子Ｑ２，Ｑ３をダイオード接続に切換えることができるスイッチＳＷ２，ＳＷ３が設けられていることである。
【００６３】
したがって、断線の発生に応答して、前記断線検知回路４２が、短絡手段であるスイッチＳＷ２，ＳＷ３の内の１つ（図６の例ではＳＷ２）をＯＮさせると、引続きそのＯＮされた側のＬＥＤ負荷回路（図６の例ではＵ２）で定電流動作が行われ、残余のＬＥＤ負荷回路（図６の例ではＵ３）との間の電流バランスが維持される。こうして、消灯が他のＬＥＤ負荷回路（図６の例ではＵ２，Ｕ３）に及ばないようにしつつ、残されたＬＥＤ負荷回路は均一な電流値のままで点灯を続けることができる。
【００６４】
［実施の形態４］
図７および図８は、本発明の実施の他の形態に係るＬＥＤ点灯回路７１，８１の構成を示すブロック図である。これらのＬＥＤ点灯回路７１，８１において、前述のＬＥＤ点灯回路３１に類似し、対応する部分には同一の参照符号を付して示し、その説明を省略する。注目すべきは、先ずＬＥＤ点灯回路７１では、断線検知回路４２ｃは、ＤＣ−ＤＣコンバータ３５の出力電流の減少から前記ＬＥＤＤ１０の断線を検知することである。具体的には、前記インピーダンス素子４１と直列にサイリスタＱ７を接続するとともに、前記電流検知抵抗Ｒ２のハイ側端子にツェナダイオードＺＤのカソードが接続され、そのツェナダイオードＺＤのアノードが抵抗Ｒ１５からスイッチ素子Ｑ４のベースに接続され、スイッチ素子Ｑ４のエミッタが前記電流検知抵抗Ｒ２のロー側端子に接続される。また、前記制御素子Ｑ４のコレクタは、バイアス抵抗Ｒ２０を介して前記サイリスタＱ７のゲートに接続される。
【００６５】
したがって、ＬＥＤＤ１０が断線していないときには、電流検知抵抗Ｒ２の端子間電圧が高く、ツェナダイオードＺＤおよびスイッチ素子Ｑ４がＯＮし、サイリスタＱ７のゲートがローレベルとなって該サイリスタＱ７がＯＦＦして、前記インピーダンス回路４１は挿入されず、ＬＥＤＤ１０が断線すると、前記電流検知抵抗Ｒ２の端子電圧が低くなり、ツェナダイオードＺＤおよび制御素子Ｑ４がＯＦＦし、サイリスタＱ７のゲートがハイレベルとなって該サイリスタＱ７がＯＮして、前記インピーダンス回路４１が挿入される。そして、一旦サイリスタＱ７がＯＮすると、電源供給が停止されるまで、その状態を保持する。したがって、サイリスタＱ７は、ラッチ手段となる。なお、抵抗Ｒ１５は、定電流のフィードバック制御のための電流検知抵抗Ｒ２での電圧降下を、前記ツェナダイオードＺＤおよびスイッチ素子Ｑ４が吸収してしまわないように設けられている。
【００６６】
一方、ＬＥＤ点灯回路８１では、断線検知回路８２は、ＤＣ−ＤＣコンバータ３５の出力電圧ＶＤＣの上昇から前記ＬＥＤＤ１０の断線を検知する。具体的には、前記断線検知回路８２は、前記ＤＣ−ＤＣコンバータ３５の出力端間に介在される分圧抵抗Ｒ２１，Ｒ２２と、その接続点の電圧を予め定める基準電圧Ｖｒｅｆ１と比較する比較器８３および基準電圧源８４とを備えて構成され、前記比較器８３の出力が前記サイリスタＱ７のゲートに与えられる。
【００６７】
したがって、ＬＥＤＤ１０が断線していないときには、前記出力電圧ＶＤＣは規定の電圧となって比較器８３はローレベルを出力し、サイリスタＱ７がＯＦＦして、インピーダンス回路４１は挿入されず、ＬＥＤＤ１０が断線すると、前記出力電圧ＶＤＣは前記規定の電圧より高くなって比較器８３はハイレベルを出力し、サイリスタＱ７がＯＮして、前記インピーダンス回路４１が挿入される。一旦サイリスタＱ７がＯＮすると、電源供給が停止されるまで、その状態を保持する点は、前記図７と同様である。
【００６８】
このようにしてもまた、インピーダンス回路４１による常時損失を抑えつつ、基準となるＬＥＤ負荷回路Ｕ１のＬＥＤＤ１０に断線が生じても、全消灯してしまうことを防止することができる。
【図面の簡単な説明】
【００６９】
【図１】本発明の実施の一形態に係るＬＥＤ点灯回路の構成を示すブロック図である。
【図２】図１で示す本発明の一実施形態と図１０および図１１で示す従来技術とで、並列のＬＥＤ負荷回路へ供給する電流のバランス制御に要する損失計算の結果を示す図である。
【図３】図１で示すＬＥＤ点灯回路において、断線検知回路の他の例を示すブロック図である。
【図４】図１で示すＬＥＤ点灯回路において、断線検知回路のさらに他の例を示すブロック図である。
【図５】本発明の実施の他の形態に係るＬＥＤ点灯回路の構成を示すブロック図である。
【図６】本発明の実施のさらに他の形態に係るＬＥＤ点灯回路の構成を示すブロック図である。
【図７】本発明の実施の他の形態に係るＬＥＤ点灯回路の構成を示すブロック図である。
【図８】本発明の実施の他の形態に係るＬＥＤ点灯回路の構成を示すブロック図である。
【図９】典型的な従来技術のＬＥＤ点灯回路の構成を示すブロック図である。
【図１０】他の従来技術のＬＥＤ点灯回路の構成を示すブロック図である。
【図１１】図１１で示すＬＥＤ点灯回路における定電流回路の具体例を示す電気回路図である。
【図１２】さらに他の従来技術のＬＥＤ点灯回路の構成を示すブロック図である。
【符号の説明】
【００７０】
３１，３１ａ，３１ｂ，５１，６１，７１，８１    ＬＥＤ点灯回路
３２    ＬＥＤモジュール
３３    商用電源
３４    整流ブリッジ
３５    ＤＣ−ＤＣコンバータ
３６    制御回路
３７    比較回路
３８    基準電圧源
４１    インピーダンス回路
４２，４２ａ，４２ｂ，４２ｃ，８２    断線検知回路
６２    スイッチ切換え制御回路
Ｃ２    平滑コンデンサ
Ｄ    ダイオード
Ｄ１，Ｄ１０    ＬＥＤ
Ｄ１１  発光ダイオード
Ｌ    チョークコイル
ＰＣ    フォトカプラ
Ｑ０    スイッチング素子
Ｑ１〜Ｑ３    制御素子
Ｑ４    スイッチ素子
Ｑ５    トランジスタ
Ｑ６    フォトトランジスタ
Ｑ７    サイリスタ
Ｒ１，Ｒ２；Ｒ１１，Ｒ１２，Ｒ１４    抵抗
Ｒ１３    電流電圧変換抵抗
Ｒ２１，Ｒ２２    分圧抵抗
ＳＷ２，ＳＷ３    スイッチ
Ｕ１〜Ｕ３    ＬＥＤ負荷回路
ＺＤ    ツェナダイオード
【図１】
2008130296.tif 000003
【図２】
2008130296.tif 000004
【図３】
2008130296.tif 000005
【図４】
2008130296.tif 000006
【図５】
2008130296.tif 000007
【図６】
2008130296.tif 000008
【図７】
2008130296.tif 000009
【図８】
2008130296.tif 000010
【図９】
2008130296.tif 000011
【図１０】
2008130296.tif 000012
【図１１】
2008130296.tif 000013
【図１２】
2008130296.tif 000014